(57)【要約】【課題】机上や、床面等に散乱した小さな紙くず、消しゴムのカス、食物のカス等の塵埃を、簡単に掃除する為のクリーナーに係わり、特にクリーナーの動力源として電池等の電力を使用することなく、手動操作によって塵埃の掃除を行うことが可能な手動式クリーナーを提供すること。【解決手段】先端に開口部６を有する吸引用ノズル２、吸引用ファン３、集塵ボックス５、前記開口部６から集塵ボックス５まで連通する空気通路７を備えた手動式クリーナー１００において、前記吸引用ファン３を手動操作によって駆動させる駆動手段４を有しているので、ファンの回転によって発生する空気の流れによって、簡単に被清掃面の塵埃を集塵ボックスへ吸引回収できる。また、駆動手段４は、手動操作によって駆動する構造としているので、電池等の給電手段を全く必要とせず、何時でも、何処でも手軽に使用でき、また、本体の小型化、軽量化も図れる。【選択図】図１
2007167256.tif 000002
【特許請求の範囲】
【請求項１】
先端に開口部を有する吸引用ノズル、吸引用ファン、集塵ボックス、前記開口部から集塵ボックスまで連通する空気通路を備えたクリーナーにおいて、前記吸引用ファンを手動操作によって駆動させる駆動手段を有することを特徴とする、手動式クリーナー。
【請求項２】
吸引用ファンの軸体に回転アタッチメントを取付け可能にしたことを特徴とする、請求項１記載の手動式クリーナー。
【請求項３】
吸引用ファンの回転方向の切替え手段を設けた請求項１又は、２記載の手動式クリーナー。
【発明の詳細な説明】
【技術分野】
【０００１】
本発明は、机上や、床面等に散乱した小さな紙くず、消しゴムのカス、食物のカス等の塵埃を、簡単に掃除する為のクリーナーに係わり、特にクリーナーの動力源として電池等の電力を使用することなく、手動操作によって塵埃の掃除を行うことが可能な手動式クリーナーに関するものである。
【背景技術】
【０００２】
従来、家庭内等で塵埃を定期的に清掃する手段として、吸込口、吸引パイプ、吸引ホース、本体から構成される電気掃除機が広く使用されている。このような電気掃除機は、例えば、１部屋、或いは複数の部屋の床面を一度に清掃する際には吸引力も強く、非常に便利なものである。
【０００３】
しかし例えば、食後のテーブル上に残ったパンくずや、机上に残った消しゴムのカス等スポット的に塵埃の掃除をしたい場合には、上記のような電気掃除機では収納場所から移動するだけでも大変な作業であり非常に面倒な為、このようなちょっとした塵埃を掃除する為に、ハンディクリーナー等が開発されている。
【０００４】
例えば、ハウジング内に、給電手段と、この給電手段により駆動される駆動手段と、この駆動手段により駆動されるファンと、前記ファン収容空間に連通しかつ、前記ハウジング内に収納可能に取り付けた吸口手段と、前記ファン収容空間を外気に連通するフィルタ手段とを収納配置したハンディ吸引クリーナーが考案されており、このようなハンディ吸引クリーナーのファンを動作させると、埃や塵を手軽に吸引することができる（例えば、特許文献１参照）。
【０００５】
また、吸引物を吸引する為の口部と、吸引した吸引物と空気を排出するための排出口を備えた本体と、該本体内の排出口側に空気を吹出すための空気吹出し口を有する空気吹出し機構と、前記排出口に着脱自在に取り付けられ、前記本体内に吸引された吸引物を集めるための通気性を有する吸引物ストックパックと、該吸引物ストックパックを前記排出口に着脱自在に取り付けるためのストックパック着脱機構とからなるハンディクリーナーが考案されており、手動によって前記空気吹出し機構を作動させ、本体内の前記排出口側に空気を吹出すことで、口部から空気と共に吸引物即ち、家庭内のゴミを吸引でき、前記ストックパックに回収できる（例えば、特許文献２参照）。
【０００６】
また、携帯、把持可能な大きさ形状に形成された本体にモーターを内蔵し、前記モーターの回転軸が前記本体から突出し、前記回転軸に着脱可能な円形のブラシベースを備えるブラシを有し、円形の前記ブラシベースの周縁寄りにリング状に配置植毛したハンドクリーナーが考案されており、このようなブラシを回転させることで、清掃対象をきれいに清掃できる（例えば、特許文献３参照）。
【特許文献１】特開平６−３０４０９３号公報
【特許文献２】特開１０−１４８２６号公報
【特許文献３】特開１０−２９６１９３号公報
【発明の開示】
【発明が解決しようとする課題】
【０００７】
しかしながら、上記特許文献１に開示されたような従来のハンディクリーナーにおいては、駆動手段を駆動させるために乾電池による給電手段を採用しており、実施例中においては外部電源による電力供給も可能としている。しかし、乾電池を使用すると必ず、何れは交換の必要性が生じてしまい、コストもかかり使用できなくなった電池は廃棄しなければならない。充電池を使用した場合は、満充電の状態で保管しておいても徐々に放電してしまい、使いたい時に使えない、という場面に遭遇する可能性があるという欠点を有していた。また、外部電源から電力を供給する方法も記載されているが、当然清掃場所が限定されてしまい、非常に使い勝手の悪いものになってしまうという欠点も有していた。更に、電池等を内蔵するということは、必然的に重量が重くなり、本来ハンディクリーナーの持つ携帯性、手軽さが半減してしまうという課題も有していた。
【０００８】
また、特許文献２に開示されたような従来のハンディクリーナーにおいては、空気吹出し機構を構成する袋体を手で押えて、排出口側に空気が吹出されることで、口部から空気と共に吸引物を吸引する構造であるが、たくさんのゴミを吸い込むためには、空気を吹出す容量を大きくしなければならず、袋体が大きなものとなってしまい携帯性を損ねてしまうという課題を有していた。また、袋体を押した後、凹んだ袋体が元の状態に復帰するまでは吸引が止まってしまい、十分なゴミの吸引が行えないという欠点も有していた。
【０００９】
また、特許文献３に開示されたような従来のハンドクリーナーにおいては、円形部周縁に植毛されたブラシを回転させることで、清掃対象をきれいに掃除できるものであるが、清掃対象から塵埃を除去することはできても、この塵埃を回収することができず、この為に別途吸引掃除機等で清掃しなければならないという欠点を有していた。
【００１０】
本発明は、上記従来の課題を解決するもので、机上や、床面等に散乱した小さな紙くず、消しゴムのカス、食物のカス等の塵埃を、簡単に掃除する為のクリーナーに係わり、特にクリーナーの動力源として電池等の電力を使用することなく、手動操作によって塵埃の掃除を行うことが可能な手動式クリーナーを提供することを目的とする。
【課題を解決するための手段】
【００１１】
前記従来の課題を解決するために、本発明のクリーナーは、先端に開口部を有する吸引用ノズル、吸引用ファン、集塵ボックス、前記開口部から集塵ボックスまで連通する空気通路を備えたクリーナーにおいて、前記吸引用ファンを手動操作によって駆動させる駆動手段を有しているので、ファンの回転によって発生する空気の流れによって、簡単に被清掃面の塵埃を吸引風に乗せて集塵ボックスへ回収することができる。また、駆動手段は、手動操作によって駆動する構造としているので、電池等の給電手段を全く必要とせず、何時でも、何処でも手軽に使用できるというメリットを有している。また、給電手段が必要ないため、クリーナー本体の小型化、軽量化が図れる。
【００１２】
また、本発明のクリーナーは、吸引用ファンの軸体に、回転アタッチメントを取付け可能にしたので、ブラシ体、はたき体、磨き体、払拭体等様々な回転アタッチメントを取付けて、これらを回転させることで、様々な物、様々な場所を掃除することができる。
【００１３】
また、本発明のクリーナーは、吸引用ファンの回転方向の切替え手段を設けたので、これにより、吸引のみならず、風を吹き出すことが可能となり、桟等の塵埃を桟の溝から除去する等、ブロワーとして使用することができる。
【発明の効果】
【００１４】
本発明のクリーナーは、吸引用ファンを手動操作によって駆動させて塵埃を吸引しているので、ファンの回転によって発生する空気の流れによって、簡単に机や、食卓等の塵埃を吸引風と共に吸引することができる。また、電池等を全く必要としないので、何時でも、何処でも手軽に掃除ができる。
【発明を実施するための最良の形態】
【００１５】
第一の発明は、先端に開口部を有する吸引用ノズル、吸引用ファン、集塵ボックス、前記開口部から集塵ボックスまで連通する空気通路を備えたクリーナーにおいて、前記吸引用ファンを手動操作によって駆動させる駆動手段を有しているので、ファンの回転によって発生する空気の流れによって、簡単に被清掃面の塵埃を吸引風に乗せて集塵ボックスへ回収することができる。また、駆動手段は、手動操作によって駆動する構造としているので、電池等の給電手段を全く必要とせず、何時でも、何処でも手軽に使用できるというメリットを有している。また、給電手段が必要ないため、クリーナー本体の小型化、軽量化が図れる。
【００１６】
第２の発明は、第１の発明のクリーナーにおいて、吸引用ファンの軸体に、回転アタッチメントを簡単な着脱方法で保持固定したので、ブラシ体、はたき体、磨き体、払拭体等様々な回転アタッチメントを取付けて、これらを回転させることで、様々な物、様々な場所を掃除することができる。
【００１７】
第３の発明は、第１、又は、第２の発明のクリーナーにおいて、また、本発明のクリーナーは、吸引用ファンの回転方向の切替え手段を設けたので、これにより、吸引のみならず、風を吹き出すことが可能となり、桟等の塵埃を桟の溝から除去する等、ブロワーとして使用することができる。
【００１８】
以下、本発明の実施の形態について図面を参照しながら説明する。なお、この実施の形態により本発明が限定されるものではない。
【００１９】
（実施の形態１）本発明の第１の実施の形態における手動クリーナーについて、図１〜４を用いて説明する。
【００２０】
図１は、本実施の形態における手動式クリーナー１００の一部を断面にした側面図で、図２は、手動式クリーナーの使用状態を示す斜視図である。
【００２１】
図において、本体ケース１は、吸引用ノズル２、吸引用ファン３、駆動手段４、集塵ボックス５を有しており、吸引用ノズル２の先端には、空気と共に塵埃を吸引する為に開口部６が設けられている。７は、この開口部６から吸引用ノズル２内を通り、吸引用ファン３を経由し、集塵ボックス５へと連通する空気通路であり、集塵ボックス５内には、開口部６から空気通路７を通って流入した空気を排出すると共に、塵埃を通過させずにキャッチする為の排気フィルター８が配置されている。排気フィルター８は、例えば、不織布やメッシュ織物などの通気性を有する素材で作られている。
【００２２】
吸引用ファン３は、駆動手段４に回転自在に軸支されている。駆動手段４には、吸引用ファン３が軸支されている回転軸部を回転駆動させるための、揺動可能な引金９が設けられており、本体１に設けたグリップ１０を手で握り、引金９を矢印Ａの方向に引くことで吸引用ファン３が回転する。
【００２３】
１２は、開口部６と被清掃面の間に所定の隙間を確保すると共に、被清掃面へ直接吸引ノズル２が当接して傷を付けないようにするための起毛布１２であり、本体１中央部下方に設けた車輪１３と起毛布１２を設置させた状態で、開口部６と被清掃面の間に所定の間隔が確保出来るよう設定され、安定した吸引力の確保と、吸引時の本体１の動きを安定させる役割を果たしている。
【００２４】
図３及び図４にて、駆動手段４の詳細を説明する。引金９は、円弧状のギヤを有する駆動ギヤ１４と一体に形成され、軸１６を支点として揺動可能な状態で軸支され、一端が駆動ギヤ１４、他端が本体ケース１内に係止される引張りばね１５によって、矢印Ｂの方向に付勢されている。引金９を引き、矢印Ａの方向へ揺動させると、駆動ギヤ１４は、ギヤ１８ａと噛み合って回転させる。ギヤ１８ａとギヤ１８ｂは同軸上に一体に移動ギヤ２０を形成しており、駆動ギヤ１４の矢印Ａ方向への動きに伴い、移動ギヤ２０も移動し、回転軸１９が矢印Ｃの方向へ動く。
【００２５】
移動ギヤ２０の矢印Ｃ方向への動きに伴って、ギヤ１８ｂがギヤ２１ａに噛み合い、ギヤ１８ａの矢印Ｄ方向への回転が、ギヤ２１ａを矢印Ｅの方向へ回転させる。ギヤ２１ｂはギヤ２１ａと同軸上で一体に従動ギヤ２２を形成しており、この回転はベベルギヤ２３ａへ伝達され、ベベルギヤ２３ａと同軸上に一体に形成されるベベルギヤ２３ｂを矢印Ｆの方向へ回転させる。ベベルギヤ２３ｂはベベルギヤ２４と噛み合い、回転方向を９０°変換させる。ベベルギヤ２４には同軸上にはずみ車２５及び、吸引用ファン３が固着されており、吸引用ファン３は回転する。
【００２６】
矢印Ａの方向へ、揺動可能な範囲いっぱいまで動いた引金９の動きが止まると、移動ギヤ２０は、従動ギヤ２２との噛み合いが外れ、矢印Ｇの方向へ戻る。この時、吸引用ファン３は、はずみ車２５によって勢いを付けられて惰性で回転を継続する。引金９を開放すると、引張りばね１５の戻り力によって引金９は矢印Ｂの方向へ復帰する。吸引用ファン３の惰性回転が止まらないうちに再び、引金９を矢印Ａの方向へ揺動させれば、継続的に止まることなく吸引用ファン３を回転させることができる。
【００２７】
以上のように構成した手動クリーナーは、吸引用ファン３の継続的な回転によって、開口部６から排気フィルター８へ至る空気通路７を流れる空気流が発生し、被清掃面に散乱した塵埃を空気と共に吸引し、集塵ボックス５へ運ぶ。集塵ボックス５は本体ケース１に着脱自在になっており、回収された塵埃は、集塵ボックス５を取り外して廃棄することが出来る。
【００２８】
本実施の形態によれば、吸引用ファン３の回転による吸引が、電池等の給電手段無しで実現できるため、手軽に、何時でも何処でも簡単に机の上、食卓等に散らばった塵埃を吸引することができるものである。なお、本実施の形態では、引金９の揺動によって駆動手段４を駆動して、吸引用ファン３を回転させる構成にて説明しているが、これに限定されるものではなく、駆動手段４は、手動操作によって吸引用ファン３を回転駆動できる構造であればその形状、構成は問わない。
【００２９】
更に、図１、図２において、本体ケース１を略ピストル型の図で説明したが、この形状についても自由に構成すればよく、開口部６を有する吸引用ノズル２、吸引用ファン３、この吸引用ファン３を駆動するための駆動手段４、集塵ボックス５から構成されて、開口部６から集塵ボックス５まで連通する空気通路７を備えた構造であればよい。
【００３０】
（実施の形態２）図５〜図７において、本発明の第２の実施の形態について説明する。なお、実施の形態１と重複する部分については説明を省略する。吸引用ファン３の軸体３０は、その中心部に回転アタッチメント３１の軸部３２を取付けるための取付け穴３３を有している。この軸部３２に、回転アタッチメント３１の軸部３２を圧入関係にて嵌合装着し、吸引用ファン３を回転させると、回転アタッチメント３１も軸部３２を中心として回転する。回転アタッチメント３１は、上記のように簡単な着脱方法で保持固定してあるので、吸引清掃と、回転アタッチメント３１による清掃の切替えを簡単に行うことが出来る
【００３１】
図５（ａ）〜図５（ｃ）は、回転アタッチメント３１として、ブラシ体３４ａ、３４ｂ、３４ｃを取り付けた状態を示している。図５（ａ）は、捩りブラシ部３５を有するブラシ体３４ａで、家具、ＡＶ機器等の隙間に堆積した埃等を掃除できる。図５（ｂ）は、円形植毛ブラシ部３６を有するブラシ体３４ｂで、平面或いは、比較的平面に近い形状の物、場所を掃除するのに向いている。図５（ｃ）は、柱状植毛ブラシ部３７を有するブラシ体３４ｃで、筒状になっている内径部や、例えば、靴の中などを掃除できる。
【００３２】
図６に示す回転アタッチメント３１は、例えば、ポリプロピレン等の繊維を束ねて成る繊維束３８と軸部３２から構成されるはたき体３９で、パソコンのキーボードの隙間、プラインドの羽、照明の傘等に溜まった埃等を掃除できる。
【００３３】
図７に示す回転アタッチメント３１は、芯体４０に磨き効果を有する織物等で作られる磨き体４１を取り付けており、回転させながら被清掃面に当てることにより、被清掃面の汚れを除去しつつ、表面を磨く効果がある。
【００３４】
図８に示す回転アタッチメント３１は、芯体４２に、不織布等で作られるシート状に形成された払拭シート４３を巻き付けて固定し、払拭体４４を形成したものであり、回転させながら被清掃面に当てることにより、被清掃面の塵埃を払拭シート４３の繊維間に絡め取ることで床面等の拭き掃除ができる。また、払拭シート４３を簡単に取り外しできる構造にすれば、汚れたら新しい払拭シート４３に取り替えて繰り返し使用することが可能となる。
【００３５】
（実施の形態３）実施の形態３においては、特に図示しないが、実施の形態１において、図３及び、図４で説明した駆動手段４の中で、切替え機構（図示せず）によって例えば、ギヤ２１ｂとギヤ２３ａの間に更に１個ギヤ（図示せず）を噛み合わせた状態を作れるようにすることで、吸引用ファン３を正転、逆転可能にする。逆回転した吸引用ファン３によって、集塵ボックス５の排気フィルター８の外側から外気を取り込み、空気通路７を通って開口部６から外へ吹き出す。これにより、手動クリーナー１００をブロワ−としても使用でき、桟等の溝に溜まって吸引困難な塵埃を溝から外に追い出すことが出来る。
【００３６】
（実施の形態４）図９を用いて実施の形態４における、手動クリーナー１０１について説明する。
本体ケース２７は、自動車を縮小したような形状で構成されている。本体ケース２７内には、底面に開口部３３を有し、この開口部３３に連通する集塵ボックス２５を設けている。この集塵ボックス２５内の上面側には、プレフィルター２６が取り付けられている。集塵ボックス２５の上面には、通気穴３０が設けられ、プレフィルター２６を介して集塵ボックス２５と本体ケース２７内とを通気可能にしている。
【００３７】
通気穴３０の上面には、吸引用ファン３が配置されており、吸引用ファン３は、駆動手段３４に取り付けられている。駆動手段３４を駆動するための引金３１及び、グリップ３２は、本体ケース２７の外側即ち、上面側に突設されている。このように構成した本体ケース２７の下部には前車輪２８、後車輪２９が設けられている。図９は断面図のため、前車輪２８、後車輪２９は各１個ずつ図示してあるが、前車輪２８、後車輪２９は各一対計４個の車輪を有している。
【００３８】
このように構成した手動クリーナー１０１において、本体ケース２７の上面に突設したグリップ３２を握り、引金３１を引くことによって、駆動手段３４に内蔵されるギヤ（図示せず）が回転駆動し、駆動手段３４によって軸支される吸引用ファン３が回転する。引金３２は、実施の形態１で説明したようにばね等によって付勢されており、このような引金３２を連続的に引くことによって、吸引用ファン３は回転を継続する。
【００３９】
吸引用ファン３の回転によって、開口部３３から、集塵ボックス２５内、プレフィルター２６、通気穴３０、本体ケース２７内の順で、空気流が生じる。この空気流に乗って、床面等の被清掃面にある塵埃が、開口部３３から集塵ボックス２５内へ運ばれ、空気のみがプレフィルター２６を通過して、本体ケース２７内へ流れ、排気口３５から排気される。
【００４０】
本体ケース２７の下面には上記したように、前車輪２８、後車輪２９各一対計４個の車輪が設けられているので、置くだけで、簡単に開口部３３と被清掃面の間隔を一定に維持することができるので、吸引力も安定する。また、被清掃面上に接地した前車輪２８、後車輪２９は回転しながら手動クリーナー１０１全体を移動させることができるため、被清掃面を傷付けにくいという利点を有している。
【００４１】
更に、本実施の形態のような手動クリーナー１０１は、車に清掃機能が付いた玩具として、子供でも手軽に遊び感覚で使用できるものである。
【００４２】
（実施の形態５）図１０を用いて実施の形態５における、手動クリーナー１０２について説明する。なお、実施の形態４と重複する部分については、その説明を省略する。
後車輪２９は、車輪軸上に駆動ギヤ３７を有し、増速ギヤ３８ａの小プーリ３９と、ベルト４０によって連結されている。増速ギヤ３８ａの大プーリ４１は、増速ギヤ３８ｂの小プーリ４２と噛み合い、増速ギヤ３８ｂの大プーリ４３は、増速ギヤ３８ｃの小プーリ４４と噛み合い、増速ギヤ３８ｃの大プーリ４５が、駆動手段４６に噛み合うことによって、後車輪２９の回転を、増速しながら吸引用ファン３に伝達する。
【００４３】
上記のように構成した、手動クリーナー１０２は、本体ケース２７の側面等を掴んで、床面を走行させると、後車輪２９の回転に伴って、吸引用ファン３が回転する。増速ギヤ３８ａ、３８ｂ、３８ｃによって増速されているため、吸引用ファン３は高速回転し、これによって起こる空気流によって、開口部３３より塵埃を吸引して集塵ボックス２５に運ぶ。本実施の形態は、実施の形態４で説明した引金３２を引くという行為が不必要となり、単純に床面を走行させることで、吸引を行えるという利点を有している。
【産業上の利用可能性】
【００４４】
以上のように、本発明に係る手動式クリーナーは、ファンの回転によって発生する空気の流れによって、簡単に塵埃を集塵ボックスへ吸引回収することができる。また、電池等の給電手段を全く必要とせず、手動操作によって駆動する構造としているので、家の中の何処へでも持ち運んで使用することが可能である。また、車の中等にも手軽に持ち込んで使用することも出来る。このように、何時でも、何処でも手軽に使用できる。また、給電手段を必要としないため、クリーナー本体の小型化、軽量化が図れる。
【図面の簡単な説明】
【００４５】
【図１】本発明の実施の形態１における手動クリーナーの一部を断面にした側面図
【図２】同手動クリーナーの使用状態を示す斜視図
【図３】同手動クリーナーにおける駆動手段の側面図
【図４】同手動クリーナーにおける駆動手段の上面図
【図５】（ａ）本発明の実施の形態２における、ブラシ体を使用した回転アタッチメントの一部を断面にした側面図  （ｂ）本発明の実施の形態２における、ブラシ体を使用した回転アタッチメントの斜視図  （ｃ）本発明の実施の形態２における、ブラシ体を使用した回転アタッチメントの側面図
【図６】本発明の実施の形態２における、はたき体を使用した回転アタッチメントの側面図
【図７】本発明の実施の形態２における、磨き体を使用した回転アタッチメントの側面図
【図８】本発明の実施の形態２における、払拭体を使用した回転アタッチメントの側面図
【図９】本発明の実施の形態４における手動クリーナーの一部を断面にした側面図
【図１０】本発明の実施の形態５における手動クリーナーの一部を断面にした側面図
【符号の説明】
【００４６】
２    吸引用ノズル
３    吸引用ファン
４、３４、４６    駆動手段
５、２５    集塵ボックス
６、３３    開口部
７    空気通路
８    排気フィルター
９、３１    引金
３１    回転アタッチメント
３４ａ、３４ｂ、３４ｃ    ブラシ体
３９    はたき体
４１    磨き体
４４    払拭体
１００、１０１、１０２    手動クリーナー
【図１】
2007167256.tif 000003
【図２】
2007167256.tif 000004
【図３】
2007167256.tif 000005
【図４】
2007167256.tif 000006
【図５】
2007167256.tif 000007
【図６】
2007167256.tif 000008
【図７】
2007167256.tif 000009
【図８】
2007167256.tif 000010
【図９】
2007167256.tif 000011
【図１０】
2007167256.tif 000012